(57)【要約】【課題】使用者が生理、心理的効果を長時間得ることができる酸素富化装置を提供することを目的とする。【解決手段】酸素富化手段２と、芳香成分を発生するアロマ発生手段４と、酸素富化手段２で得られた酸素富化空気を吐出させる空気吐出手段３と、空気吐出手段３とアロマ発生手段４の動作制御を行う制御手段１６とを備え、制御手段１６は酸素富化手段２による酸素富化空気の供給時間よりアロマ発生手段４による芳香成分の供給時間を長く制御するようにしたものである。これによって、使用者は酸素富化空気よりも長い時間、芳香成分を吸引することができるので、酸素富化空気に加えて芳香成分による生理、心理効果が持続し、長期間効果の維持が可能となる。【選択図】図１
2007215727.tif 000002
【特許請求の範囲】
【請求項１】
酸素富化手段と、芳香成分を発生するアロマ発生手段と、酸素富化手段で得られた酸素富化空気を吐出させる空気吐出手段と、空気吐出手段とアロマ発生手段の動作制御を行う制御手段とを備え、制御手段は酸素富化手段による酸素富化空気の供給時間よりアロマ発生手段による芳香成分の供給時間を長く制御するようにした酸素富化装置。
【請求項２】
アロマ発生手段による芳香成分の供給は、酸素富化空気の供給と同時に開始するようにした請求項１に記載の酸素富化装置。
【請求項３】
アロマ発生手段による芳香成分の供給は、酸素富化空気の供給終了後に開始するようにした請求項１に記載の酸素富化装置。
【請求項４】
アロマ発生手段による芳香成分の供給は、酸素富化空気の供給前から開始するようにした請求項１に記載の酸素富化装置。
【請求項５】
アロマ発生手段による芳香成分の供給は、酸素富化空気の供給終了後も継続して行うようにした請求項４に記載の酸素富化装置。
【発明の詳細な説明】
【技術分野】
【０００１】
本発明は、家庭または事務所などにおいて使用者に酸素富化空気を供給する酸素富化装置に関するものである。
【背景技術】
【０００２】
従来、酸素富化装置は、使用者の心理的、生理的な改善効果を期待したもので、空気中の酸素を富化し、この酸素富化空気を使用者が吸引するというものである。そして、心理的、生理的効果をさらに高めるために、酸素富化空気に芳香成分を直接混合させるようにしたものが知られている（例えば、特許文献１参照）。
【特許文献１】特開２００４−１３６２３２号公報
【発明の開示】
【発明が解決しようとする課題】
【０００３】
しかしながら、前記従来の構成では、酸素と芳香成分の相乗効果は得られるものの、酸素の供給を停止すると、直ちに生理、心理効果が低下するという課題があった。
【０００４】
本発明は、前記従来の課題を解決するもので、使用者が生理、心理的効果を長時間得ることができる酸素富化装置を提供することを目的とする。
【課題を解決するための手段】
【０００５】
前記従来の課題を解決するために、本発明の酸素富化装置は、酸素富化手段と、芳香成分を発生するアロマ発生手段と、酸素富化手段で得られた酸素富化空気を吐出させる空気吐出手段と、空気吐出手段とアロマ発生手段の動作制御を行う制御手段とを備え、制御手段は酸素富化手段による酸素富化空気の供給時間よりアロマ発生手段による芳香成分の供給時間を長く制御するようにしたものである。
【０００６】
これによって、使用者は酸素富化空気よりも長い時間、芳香成分を吸引することができるので、酸素富化空気に加えて芳香成分による生理、心理効果が持続し、長期間効果の維持が可能となる。
【発明の効果】
【０００７】
本発明の酸素富化装置は、酸素富化空気に加えて芳香成分による生理、心理効果が持続し、長期間効果の維持が可能となる。
【発明を実施するための最良の形態】
【０００８】
第１の発明は、酸素富化手段と、芳香成分を発生するアロマ発生手段と、酸素富化手段で得られた酸素富化空気を吐出させる空気吐出手段と、空気吐出手段とアロマ発生手段の動作制御を行う制御手段とを備え、制御手段は酸素富化手段による酸素富化空気の供給時間よりアロマ発生手段による芳香成分の供給時間を長く制御するようにした酸素富化装置とすることにより、使用者は酸素富化空気よりも長い時間、芳香成分を吸引することができるので、酸素富化空気に加えて芳香成分による生理、心理効果が持続し、長期間効果の維持が可能となる。
【０００９】
第２の発明は、特に、第１の発明において、アロマ発生手段による芳香成分の供給は、酸素富化空気の供給と同時に開始するようにしたことにより、酸素富化空気と芳香成分の相乗効果を得ることができるだけでなく、酸素富化空気の供給終了後も芳香成分の吸引を継続することができるので、生理、心理効果を維持することができる。
【００１０】
第３の発明は、特に、第１の発明において、アロマ発生手段による芳香成分の供給は、酸素富化空気の供給終了後に開始するようにしたことにより、酸素富化空気で得た生理、心理効果を酸素富化空気の供給後でも維持することができるので、生理、心理効果を維持することができる。
【００１１】
第４の発明は、特に、第１の発明において、アロマ発生手段による芳香成分の供給は、酸素富化空気の供給前から開始するようにしたことにより、酸素富化空気の吸引前に使用者の生理、心理状態を良化させ、その後に酸素富化空気を吸引することができるので、酸素の消費量が低減し、吸引した酸素の効率的な利用が可能となる。
【００１２】
第５の発明は、特に、第４の発明において、アロマ発生手段による芳香成分の供給は、酸素富化空気の供給終了後も継続して行うようにしたことにより、酸素富化空気の吸引前に使用者の生理、心理状態を良化させた後に酸素富化空気を吸引することができるので、酸素の消費量が低減し、吸引した酸素の効率的な利用が可能となると同時に、酸素富化空気で得た生理、心理効果を酸素富化空気の供給後でも維持することができるので、酸素富化空気と芳香成分の生理、心理効果の最大化を図ることができる。
【００１３】
以下、本発明の実施の形態について、図面を参照しながら説明する。なお、この実施の形態により本発明が限定されるものではない。
【００１４】
（実施の形態）
図１は、本発明の実施の形態における酸素富化装置を示している。
【００１５】
図に示すように、本実施の形態における酸素富化装置は、酸素富化手段を有する酸素富化手段２と、芳香成分を発生するアロマ発生手段４と、酸素富化手段２で得られた酸素富化空気を吐出させるポンプよりなる空気吐出手段３と、空気吐出手段３による酸素富化空気を使用者の呼吸域に供給する一端開放の筒状の空気供給手段８と、前記酸素富化手段２、アロマ発生手段４および空気吐出手段３を収容し酸素富化手段２の下流側の一部にアロマ発生手段４の芳香成分空気を排出する排出部１２を設けた装置本体１とを備えている。
【００１６】
また、装置本体１は、切換手段９、導出部１１および制御手段１６をも収容している。切換手段９は、酸素富化手段２につながる流路６と、外気とつながる流路１０と、空気吐出手段３間に設けられている。空気吐出手段３には空気供給手段８につながり装置本体１外部に延長して自由に扱える流路７が接続されており、この流路７の途中には流路中の結露水を溜めるカプセルよりなる水溜め手段１５を備えている。
【００１７】
導出部１１は、アロマ発生手段４と排出部１２間に配置して送気手段５で送り込まれた空気を排出部１２に案内して送り込む役割をなしている。排出部１２には可動可能なフィンなどからなる送気制御手段１３を設けており、排出部１２からの芳香成分空気の排気方向を可変としている。アロマ発生手段４にはその芳香成分の揮発を制御する揮発制御手段１４を設けている。
【００１８】
制御手段１６は、空気吐出手段３、切換手段９、送気制御手段１３および揮発制御手段１４の動作制御を行うものである。そして、この制御手段１６は、酸素富化手段２による酸素富化空気の供給時間よりアロマ発生手段４による芳香成分の供給時間を長く制御するようにしているものである。
【００１９】
以上のように構成された酸素富化装置について、以下その動作、作用を説明する。
【００２０】
使用者が酸素富化空気を吸引するとき、制御手段１６で動作を指定する。この信号を受け、各要素部品が動作を開始する。この動作を順に説明する。まず、空気吐出手段３と送気手段５が動作を開始する。空気吐出手段３が動作を開始することで、酸素富化手段２に陰圧が発生し、酸素富化手段２の外側の空気を吸い込む力が発生する。酸素富化手段２は、物質毎に透過速度が異なる。この現象を利用して酸素富化空気を作成する。具体的には、空気中の窒素よりも酸素の透過性が高い膜を採用することにより酸素富化が可能になる。またこのとき酸素富化手段２の外側の酸素が希薄な状態になり、酸素濃縮の効率が低下する。これを打開するためには酸素富化手段２の外側に大量の空気を送り込む必要がある。そこで、送気手段５を駆動し酸素富化手段２の外側に新鮮な空気を常に送りこむことで酸素富化効率を維持している（以下、酸素富化運転と呼ぶ）。酸素富化運転を続けると、空気中の水分も濃縮される。この水分が濃縮されると結露水が発生する。
【００２１】
この結露水は空気の流れとともに押し流され空気供給手段８から飛び出すことになる。このことを防止するため、流路７の途中には水溜め手段１５がある。ここで流路７中の結露水が分離されるので、空気供給手段８から水が飛び出し使用者に不快感をいだかせることはない。さらに、所定時間経過後、切換手段９を切換え、流路７の結露水をパージ運転で排除することで使用者に水が当たらない動作を採用している。具体的には、切換手段９を切換え、空気吐出手段３で直接外部の空気を吸い込み、流路７に高流量の空気を通過させることで、流路７内の結露水を除去している。このようにして、作られた酸素富化空気を吸引することで、使用者はリフレッシュすることができる。
【００２２】
芳香成分は、酸素との吸引により相乗効果を発揮し、生理、心理的な効果を向上させることができるものがあるが、使用者に確実に吸引してもらわなくては、相乗効果を発揮することはできない。特に、拡散の早い芳香成分は吸引が困難な場合がある。そこで、制御手段１６で送気手段５、送気制御手段１３の動作を制御し、芳香成分を含む空気を所定の位置に供給可能とし、酸素富化空気と芳香成分の生理、心理効果の両立を図っている。具体的には、芳香成分を含む空気を同時に吸引したいと使用者が考える場合には、使用者が制御手段１６で動作を選択し、空気吐出手段３、送気手段５、送気制御手段１３の動作を制御し、空気供給手段８から酸素富化空気が、排出部１２からは芳香成分を含んだ空気が供給されるように動作制御している。この動作により、使用者は雰囲気中の芳香成分の濃度を最適な濃度に調整することができるので、使用者は、確実に芳香成分を吸引することができる。従って、酸素富化空気と芳香成分の両方の生理、心理的効果を充分に得ることができると同時に、使用者だけでなく、周囲の人も芳香成分による生理、心理的効果を得ることができる。
【００２３】
また、送気手段５を送気制御手段１３と併用し、アロマ発生手段４から発生した芳香成分を装置本体１の外側に排出可能にしている。これにより、迅速に芳香成分を分散できるので、使用可能な芳香成分が増え、酸素富化空気と芳香成分の両方の生理、心理的効果を充分に得ることができる。
【００２４】
また、アロマ発生手段４と排出部１２間に配置して送気手段５で送り込まれた空気を排出部１２に案内して送り込む役割をなしている導出部１１により、アロマの放出を容易にし、効果を向上させることが可能となっている。
【００２５】
また、排出部１２を酸素富化手段２の下流側に設けている。これは、酸素富化手段２に芳香成分の粒子が付着することを防止する目的である。芳香成分の粒子の付着がなくなると、酸素富化手段２での酸素富化性能を維持できるので、使用者が酸素富化空気および芳香成分の生理、心理的効果を充分に得ることができる。
【００２６】
また、排出部１２に送気制御手段１３を設けて排気方向を可変とした。これにより、方向成分を供給したい場所に優先的に送ることができるので、効果を高めることができる。よって、使用者が酸素富化空気および芳香成分の生理、心理的効果を充分に得ることができる。
【００２７】
また、アロマ発生手段４の下には、芳香成分の揮発を制御する揮発制御手段１４を設けたので、雰囲気温度に左右されず、酸素富化空気および芳香成分の生理、心理的効果を充分に得ることができる。芳香成分は、外気温が低い場合、目的とする濃度以下になる場合が多い。そこで、芳香成分の供給時には、揮発制御手段１４でアロマ発生手段４の温度制御を行い、供給量を常に一定にし、使用者が違和感無く、かつ使用者が酸素富化空気および芳香成分の生理、心理的効果を充分に得ることができるように制御している。
【００２８】
次に、酸素富化装置を用いた時の芳香成分と酸素富化空気の供給制御について説明する。
【００２９】
まず初めに、酸素と芳香成分の人体への効果メカニズムについて説明する。
【００３０】
酸素は人体に吸引されると、血液を解して各細胞に吸収される。特に、脳においてはこの効果が顕著であり、活性化が促進され、結果として、「リフレッシュ」などの生理、心理効果を得ることができる。一方、芳香成分は、脳の視床下部、脳下垂体へ作用し、ホルモンを分泌させることで、生理、心理効果を向上させている。これらのことにより、酸素と芳香成分の相乗効果が発揮される。さらに、脳などにおいて、酸素で活性化された細胞は代謝活性があがるので、結果としてホルモンの分泌制御も円滑になり、酸素吸引後も芳香成分が吸引されれば、生理、心理効果を持続できるものである。
【００３１】
制御手段１６で送気手段５、空気吐出手段３、送気制御手段１３、揮発制御手段１４の動作制御を行い、送気手段５の動作時間を空気吐出手段３の動作時間よりも長く制御する。このことにより、使用者は酸素富化空気の供給時間よりも芳香成分の供給時間が長くなり、酸素富化空気の吸引時間よりも長い時間、芳香成分を吸引することができる。したがって、使用者は、酸素富化空気の生理、心理効果を得た後も、引き続き生理、心理理効果を得ることができ、生理、心理効果が持続し、長期間効果の維持が可能となる。
【００３２】
また、このとき、酸素富化空気供給と同時に芳香成分の供給を開始しているので、酸素富化空気と芳香成分の相乗効果を得ることができるだけでなく、酸素富化空気の供給終了後も芳香成分の吸引を継続することができるので、生理、心理効果を維持することができる。
【００３３】
なお、酸素富化空気供給終了後に芳香成分の供給を開始することでも酸素富化空気で得た生理、心理効果を酸素富化空気の供給後でも維持することができるので、生理、心理効果を維持することができる。
【００３４】
次に、酸素富化吸引前に芳香成分を吸引する制御について説明する。
【００３５】
制御手段１６で送気手段５、送気制御手段１３だけの動作を開始させ、所定時間経過後、酸素富化空気供給前から芳香成分の供給を開始する。このことにより、酸素富化空気の吸引前に使用者の生理、心理状態を良化させた後に酸素富化空気を吸引することができるので、酸素の消費量が低減し、吸引した酸素の効率的な利用が可能となる。
【００３６】
酸素富化空気供給前から芳香成分の供給を開始し、酸素富化空気供給終了後も芳香成分の供給を行うことにより、酸素富化空気の吸引前に使用者の生理、心理状態を良化させた後に酸素富化空気を吸引することができるので、酸素の消費量が低減し、吸引した酸素の効率的な利用が可能となると同時に、酸素富化空気で得た生理、心理効果を酸素富化空気の供給後でも維持することができるので、酸素富化空気と芳香成分の生理、心理効果の最大化を図ることができる。
【００３７】
このように、本実施の形態では、酸素富化手段２による酸素富化空気の供給時間よりアロマ発生手段４による芳香成分の供給時間を長く制御するようにしたものであり、使用者は酸素富化空気よりも長い時間、芳香成分を吸引することができるので、酸素富化空気に加えて芳香成分による生理、心理効果が持続し、長期間効果の維持が可能となるものである。
【００３８】
なお、本実施の形態では、アロマ発生手段４から発生した芳香成分を排気部１２から装置本体１の外側に排出しているが、別流路により空気供給手段８に接続し、酸素富化空気と同じ空気供給手段８から供給するタイプのものであってもよい。
【００３９】
また、本実施の形態では、芳香成分と酸素富化空気を交互に発生させるという方法で使用者の生理、心理効果を向上させる方式をとっている。すなわち、本実施の形態の構成を用いれば、酸素富化空気と生理的、心理的な性質の異なる芳香成分を使用できるだけでなく、酸素富化空気の供給後一定時間あけて芳香成分を供給することが可能となる。酸素富化空気や芳香成分は、生理、心理効果が数分程度残ることがある。このような場合、酸素富化空気供給（または芳香成分を供給）後、これらの余韻が消える時間を経過した後で、芳香成分を発生（または、酸素富化空気を発生）させることで、生理、心理効果をより向上させることができる。
【産業上の利用可能性】
【００４０】
以上のように、本発明にかかる酸素富化装置は、酸素富化空気に加えて芳香成分による生理、心理効果が持続し、長期間効果の維持が可能となるので、家庭用だけでなく、車両、運輸用、スポーツ用にも適用できる。
【図面の簡単な説明】
【００４１】
【図１】本発明の実施の形態における酸素富化装置の構成図
【符号の説明】
【００４２】
１  装置本体
２  酸素富化手段
３  空気吐出手段
４  アロマ発生手段
５  送気手段
６、７、１０  流路
８  空気供給手段
１２  排気部
１６  制御手段
【図１】
2007215727.tif 000003